(57)【要約】【課題】圧縮成形された木材を補強する補強部材をその木材に対して容易に装着することができる圧縮木製品の製造方法を提供する。【解決手段】木材を３次元形状に圧縮成形する圧縮工程と、前記圧縮工程で圧縮した木材の端部を当該端部の肉厚方向に把持することによって前記木材を補強する補強部材を装着する装着工程と、を含み、前記装着工程は、対をなす第１および第２の金型によって前記木材と前記補強部材とを挟持し、前記補強部材を前記木材の端部に圧入する。【選択図】        図７
2007118456.tif 000002
【特許請求の範囲】
【請求項１】
圧縮成形した木材を備える圧縮木製品を製造する圧縮木製品の製造方法であって、
木材を３次元形状に圧縮成形する圧縮工程と、
前記圧縮工程で圧縮成形した木材の端部を把持することによって前記木材を補強する補強部材を装着する装着工程と、
を含み、
前記装着工程は、対をなす第１および第２の金型によって前記木材と前記補強部材とを挟持し、前記補強部材を前記木材の端部に圧入することを特徴とする圧縮木製品の製造方法。
【請求項２】
前記補強部材は、金属および合成樹脂の少なくともいずれか一方を含む素材から成ることを特徴とする請求項１記載の圧縮木製品の製造方法。
【請求項３】
前記補強部材は、前記木材に装着したときに前記木材に当接する表面から突起する突起部を有することを特徴とする請求項１または２記載の圧縮木製品の製造方法。
【請求項４】
前記木材は、周回して閉じた端面を有することを特徴とする請求項１〜３のいずれか一項記載の圧縮木製品の製造方法。
【請求項５】
前記圧縮工程は、大気よりも高温高圧の水蒸気雰囲気中で、対をなす第３および第４の金型によって前記木材を挟持して圧縮力を加えることを特徴とする請求項１〜４のいずれか一項記載の圧縮木製品の製造方法。
【発明の詳細な説明】
【技術分野】
【０００１】
本発明は、圧縮成形した木材を備える圧縮木製品を製造する圧縮木製品の製造方法に関する。
【背景技術】
【０００２】
近年、自然素材である木材が注目されている。木材はさまざまな木目を有するため、原木から形取る箇所に応じて個体差が生じ、その個体差が製品ごとの個性となる。また、長期の使用によって生じる傷や色合いの変化自体も、独特の風合いとなって使用者に親しみを生じさせることがある。これらの理由により、合成樹脂（プラスチック）や軽金属を用いた製品にはない、個性的で味わい深い製品を生み出すことのできる素材として木材が注目されており、その加工技術も飛躍的に進歩しつつある。
【０００３】
従来、かかる木材の加工技術として、吸水軟化した１枚の木材を圧縮し、その木材を圧縮方向と略平行にスライスして板状の一次固定品を得た後、この一次固定品を加熱吸水させながら所定の３次元形状に成形する技術が知られている（例えば、特許文献１を参照）。また、軟化処理した状態で圧縮した１枚の木材を仮固定し、この木材を型に入れて回復させることによって型成形する技術も知られている（例えば、特許文献２を参照）。これらの技術では、木材の個体差や種類、加工後の木材の強度やその用途などを含むさまざまな点を考慮して、木材の肉厚や圧縮率が決められる。
【０００４】
【特許文献１】特許第３０７８４５２号公報
【特許文献２】特開平１１−７７６１９号公報
【発明の開示】
【発明が解決しようとする課題】
【０００５】
ところで、圧縮後の木材の形状によっては、その木材に必要な強度が十分に確保できない場合がある。この場合、木材の強度を増加させるために金属や合成樹脂を含む素材から成る補強部材を、ビス止めやカシメなどの締結法によって木材に固着することが多い。そのような締結法では、木材に対してビスやカシメを挿通するためのボスやリブを設ける必要があるが、ボスやリブを木材の表面から突出させ、他の箇所と同様に圧縮成形することは技術的に難しかった。
【０００６】
本発明は、上記に鑑みてなされたものであって、圧縮成形された木材を補強する補強部材をその木材に対して容易に装着することができる圧縮木製品の製造方法を提供することにある。
【課題を解決するための手段】
【０００７】
上述した課題を解決し、目的を達成するために、請求項１記載の発明は、圧縮成形した木材を備える圧縮木製品を製造する圧縮木製品の製造方法であって、木材を３次元形状に圧縮成形する圧縮工程と、前記圧縮工程で圧縮成形した木材の端部を把持することによって前記木材を補強する補強部材を装着する装着工程と、を含み、前記装着工程は、対をなす第１および第２の金型によって前記木材と前記補強部材とを挟持し、前記補強部材を前記木材の端部に圧入することを特徴とする。
【０００８】
請求項２記載の発明は、請求項１記載の発明において、前記補強部材は、金属および合成樹脂の少なくともいずれか一方を含む素材から成ることを特徴とする。
【０００９】
請求項３記載の発明は、請求項１または２記載の発明において、前記補強部材は、前記木材に装着したときに前記木材に当接する表面から突起する突起部を有することを特徴とする。
【００１０】
請求項４記載の発明は、請求項１〜３のいずれか一項記載の記載の発明において、前記木材は、周回して閉じた端面を有することを特徴とする。
【００１１】
請求項５記載の発明は、請求項１〜４のいずれか一項記載の発明において、前記圧縮工程は、大気よりも高温高圧の水蒸気雰囲気中で、対をなす第３および第４の金型によって前記木材を挟持して圧縮力を加えることを特徴とする。
【発明の効果】
【００１２】
本発明に係る圧縮木製品の製造方法によれば、木材を３次元形状に圧縮成形する圧縮工程と、前記圧縮工程で圧縮成形した木材の端部を当該端部の肉厚方向に把持することによって前記木材を補強する補強部材を装着する装着工程と、を含み、前記装着工程は、対をなす第１および第２の金型によって前記木材と前記補強部材とを挟持し、前記補強部材を前記木材の端部に圧入することにより、圧縮成形された木材を補強する補強部材をその木材に対して容易に装着することが可能となる。
【発明を実施するための最良の形態】
【００１３】
以下、添付図面を参照して本発明を実施するための最良の形態（以後、「実施の形態」と称する）を説明する。
【００１４】
（実施の形態１）
本発明の実施の形態１に係る圧縮木製品の製造方法においては、まず、所定の形状をなす木材を原木から形取る（形取工程）。図１は、この形取工程の概要を模式的に示す図である。同図に示す木材１は、原木である無圧縮状態の無垢材１０（木目１０Ｇを有する）から切削等によって形取られ、略長方形状の表面をなす平板状の主板部１ａと、この主板部１ａ表面の長手方向に略平行な２辺の各々から主板部１ａ表面に対して所定の角度をなして延出する二つの側板部１ｂと、主板部１ａ表面の短手方向に略平行な２辺の各々から主板部１ａ表面に対して所定の角度をなして延出する二つの側板部１ｃとを備える。この木材１は、皿状（椀状、シェル状、箱状等の形状を含む）をなし、後述する圧縮工程によって減少する分の容積を予め加えた容積を有する。
【００１５】
図１に示す場合、無垢材１０から形取る木材１の長手方向とその木材１の繊維方向Ｌとが略平行であって主板部１ａの表面が柾目面をなすように形取りを行っているが、これはあくまでも一例に過ぎない。他にも、木材１の長手方向がその木材１の繊維方向Ｌと略平行であり、主板部１ａの表面が板目面、追柾面をなすように形取ることもできる。また、木材１の長手方向がその木材１の繊維方向Ｌと略直交し、主板部１ａの表面が木口面をなすように形取ることもできる。このように、木材を原木からどのように形取るかは、その木材に対して要求する強度や美観等の条件に応じて定められる。このような事情に鑑み、以後の説明で参照する図面においては、木目を省略して記載する。
【００１６】
なお、無垢材１０は、ヒノキ、ヒバ、桐、杉、松、桜、欅、黒檀、紫檀、竹、チーク、マホガニー、ローズウッドなどの中から、加工した木材の用途等に応じて最適なものを選択すればよい。また、木材を原木から形取る際には平板状に形取ってもよい。
【００１７】
次に、形取った木材１を圧縮成形する（圧縮工程）。図２は、この圧縮工程において使用する金型の構成および木材１を圧縮する前の状態を示す図である。同図に示すように、木材１は、一対の金型５１および６１によって挟持され、圧縮力が加えられる。この意味で、金型５１および６１は、一方が第３の金型であり、他方が第４の金型である。
【００１８】
圧縮時に木材１の上方から圧縮力を加える金型５１は、木材１の主板部１ａから側板部１ｂおよび１ｃに各々立ち上がって湾曲する曲面の内側面に嵌合する形状をなす凸部５２を備えたコア金型である。木材１の内側面のうち、主板部１ａから側板部１ｂに立ち上がって湾曲する曲面１ａｂ内側面の曲率半径をＲＩとし、凸部５２のうち曲面１ａｂに当接する曲面の曲率半径をＲＡとすると、この二つの曲率半径は、ＲＩ＞ＲＡという関係を満たす。
【００１９】
これに対し、圧縮時に木材１の下方から圧縮力を加える金型６１は、木材１の主板部１ａから側板部１ｂおよび１ｃに各々立ち上がって湾曲する曲面の外側面を嵌入する凹部６２を備えたキャビティ金型である。木材１の主板部１ａから側板部１ｂに立ち上がって湾曲する曲面１ａｂ外側面の曲率半径をＲＯとし、凹部６２のうち曲面１ａｂの外側面に当接する曲面の曲率半径をＲＢとすると、この二つの曲率半径は、ＲＯ＞ＲＢという関係を満たす。
【００２０】
以上の構成を有する金型５１および６１を用いて木材１を圧縮する前に、木材１を大気よりも高温高圧の水蒸気雰囲気中に所定時間放置することにより、水分を過剰に吸収させて軟化させる。ここでいう高温高圧とは、温度が１００〜２３０℃、より好ましくは１８０〜２３０℃、さらに好ましくは１８０〜２００℃程度であり、圧力が０.１〜３.０ＭＰａ（メガパスカル）、より好ましくは０.４５〜２.５ＭＰａ、さらに好ましくは１.０〜１.６ＭＰａ程度の状態を指す。なお、上述した水蒸気雰囲気中で木材１を放置して軟化させる代わりに、例えば木材１をマイクロウェーブの如き高周波の電磁波によって加熱して軟化させてもよい。
【００２１】
この後、上述した水蒸気雰囲気中で十分に軟化した木材１を、同じ水蒸気雰囲気中で圧縮する。図３は、軟化した木材１を所定の位置に配置した後、金型５１を下降させて金型６１との間で木材１を挟持し、この挟持した木材１に対して所定の圧縮力を加えている状態を示す図であり、より具体的には、木材１の圧縮力による変形がほぼ完了した状態を示す図である。図３に示すように、木材１は金型５１および６１から圧縮力を受けることにより、金型５１と金型６１との隙間に相当する３次元形状に変形される。
【００２２】
木材１に所定時間（１〜数十分、より好ましくは５〜１０分程度）圧縮力を加えた後、上記水蒸気雰囲気を解いて木材１を乾燥させ、金型５１と金型６１を離間させて圧縮を解除することによって圧縮工程が終了する。この圧縮工程の結果、木材１の肉厚は、圧縮前の木材１の肉厚の３０〜５０％程度となる。圧縮工程後の木材は、薄肉でも高い強度を有するとともに、その形状が木材の乾燥等によって変形することがなく、工業製品として好適なものとなる。以後、圧縮工程後の木材を「圧縮木材」と称する。図４は、圧縮木材の構成を示す斜視図である。同図に示す圧縮木材２は、木材１の主板部１ａ、ならびに側板部１ｂおよび１ｃにそれぞれ対応する主板部２ａ、ならびに側板部２ｂおよび２ｃを有する。また、圧縮木材２は、側板部２ｂおよび２ｃを周回して閉じた形状をなす端面２ｄを有する。
【００２３】
上述した圧縮工程に続いて、圧縮木材２を補強する補強部材を装着する（装着工程）。図５は、本実施の形態１で使用する補強部材の構成を示す斜視図であり、図６は図５のＡ−Ａ線部分断面図である。これらの図に示す補強部材３は、周回して閉じた形状をなしており、その周回方向と垂直な断面は肉厚が均一で、図６に示すようなコの字型をなす。圧縮木材２と接触するのは内側の表面（内側面）である。この内側面は、圧縮木材２の端面２ｄに当接する端面当接部３ａ（図６で水平方向を指向する部分）と、この端面当接部３ａに垂直な面をなす側面当接部３ｂとから成る。補強部材３は、圧縮木材２よりも顕著に硬質な素材によって実現され、金属（アルミニウム、ステンレス、チタン、鉄など）および合成樹脂（ポリイミドに代表されるスーパーエンジニアリングプラスチックなど）の少なくともいずれか一方を含む材質から成る。補強部材３が金属製である場合には、例えば鋳型を用いて鋳造される。他方、補強部材３が合成樹脂製である場合には、金型を用いて射出成形される。
【００２４】
一般に、形取工程で形取った木材の端面が常に閉じた端面形状をなしているとは限らない。このため、木材に装着される補強部材についても、常に周回して閉じた形状をなしている必要はなく、装着対象である木材の端面形状に応じてその形状を定めればよい。
【００２５】
図７は、上述した構成を有する補強部材３の圧縮木材２への装着工程の概要を示す断面図である。本実施の形態１において補強部材３を圧縮木材２に装着する際には、一対の金型７１および８１を用いて圧縮木材２と補強部材３とを挟持し、補強部材３を圧縮木材２の端部へ圧入する。この意味で、金型７１および８１のうち、一方が第１の金型で、他方が第２の金型である。
【００２６】
補強部材３の上方に位置する金型７１は、圧縮木材２の主板部２ａから側板部２ｂおよび２ｃに各々立ち上がって湾曲する曲面の内側面に嵌合する形状をなす凸部７２と、この凸部７２の周縁に凸部７２の突出方向（図７の鉛直方向）と垂直な平面をなして補強部材３の上面を押圧する押圧面７３とを備えたコア金型である。凸部７２の形状は、補強部材３が当接する部分を除いて、圧縮木材２の内側面（図７の上面側）の形状とほぼ一致する。また、圧縮木材２の下方に位置する金型８１は、圧縮木材２の主板部２ａから側板部２ｂおよび２ｃに各々立ち上がって湾曲する曲面の外側面を嵌入する凹部８２と、金型７１の押圧面７３に当接する上端面８３とを備えたキャビティ金型である。凹部８２の形状は、補強部材３が当接する部分を除いて、圧縮木材２の外側面（図７の下面側）の形状とほぼ一致する。
【００２７】
以上の構成を有する金型７１および８１によって圧縮木材２および補強部材３を装着する際には、圧縮木材２を凹部８２に嵌め込んで配置し、補強部材３を圧縮木材２の端面の上に位置合わせをして載置した後、金型７１をプレス機（図示せず）によって下降させる。押圧面７３が補強部材３の上端面に当接する位置に達した後も引き続き金型７１を下降させると、補強部材３の内側面が徐々に側板部２ｂおよび２ｃに圧入されていく。その結果、補強部材３が側板部２ｂおよび２ｃの端部を把持するようになる。この後、押圧面７３が金型８１の上端面８３に当接するまでさらに金型７１を下降させると、補強部材３の端面当接部３ａが圧縮木材２の端面２ｄに当接する。図８は、金型７１の下降が終了した状態を示す図であり、補強部材３が完全に圧縮木材２の側板部２ｂ（および２ｃ）に装着された状態を示す図である。
【００２８】
上述した装着工程において、金型７１の押圧面７３が金型８１の上端面８３に当接したときに二つの金型の間に生じる隙間は、補強部材３が装着される端部付近を除いて圧縮木材２の形状と概ね同じ形状をなしているので、圧縮木材２は、装着工程の前後において、補強部材３が装着される端部付近以外で大きな形状変化を生じることはない。
【００２９】
なお、装着工程は大気中で行うが、その際に金型７１および８１の温度をそれぞれ調整することにより、圧縮木材２の表面の色合いの調整を同時に行うことも可能である。
【００３０】
図９は、装着工程を経て完成した圧縮木製品４の構成を示す斜視図である。また、図１０は、図９のＢ−Ｂ線部分断面図である。これらの図に示す圧縮木製品４は、補強部材３の端面当接部３ａが圧縮木材２の端面２ｄに当接するとともに、補強部材３の側面当接部３ｂが圧縮木材２の側板部２ｂの肉厚方向に若干食い込んだ状態にあり、圧縮木材２と補強部材３とが一体化されている。これにより、特に圧縮木材２の端部付近の補強が実現されている。
【００３１】
以上説明した本発明の実施の形態１に係る圧縮木製品の製造方法によれば、木材を３次元形状に圧縮成形する圧縮工程と、前記圧縮工程で圧縮した木材の端部を当該端部の肉厚方向に把持することによって前記木材を補強する補強部材を装着する装着工程と、を含み、前記装着工程は、対をなす第１および第２の金型によって前記木材と前記補強部材とを挟持し、前記補強部材を前記木材の端部に圧入することにより、圧縮成形された木材を補強する補強部材を、ビスやカシメといった締結法を用いることなく、その木材に対して容易に装着することが可能となる。
【００３２】
なお、補強部材の形状は上述したものに限られるわけではない。図１１は、補強部材の別な構成例（第２例）を示す断面図であり、図６の断面図に対応するものである。図１１に示す補強部材３１は、補強部材３と同様の外観形状を有し、その周回方向に垂直な断面はコの字型をなし、内側面は端面当接部３１ａと側面当接部３１ｂとを有する。このうち、側面当接部３１ｂの表面には、突起部３１１が形成されている。この突起部３１１は、円錐状または多角錐状のものを周回方向に複数個等間隔に設けたものであってもよいし、周回方向に沿って側面当接部３１ｂから一様に突起させたものであってもよい。このような突起部３１１を設けることにより、圧縮木材２からのより確実な抜け止め効果を得ることができる。
【００３３】
図１２は、補強部材のさらに別な構成例（第３例）を示す断面図である。同図に示す補強部材３２も、補強部材３と同様の外観形状を有し、その周回方向に垂直な断面はコの字型をなし、内側面は端面当接部３２ａと側面当接部３２ｂとを有する。側面当接部３２ｂには、複数の小突起が平行に突起した突起部３２１が形成されている。この場合にも、上述した補強部材３１と同様に、圧縮木材２からのより確実な抜け止め効果を得ることができる。
【００３４】
なお、突起部の形状は必ずしも上述したものに限られるわけではなく、例えば側面当接部の所定箇所に、突起部として平目ローレット加工またはアヤ目ローレット加工を施してもよい。また、補強部材の内側面における突起部の設置位置やその設置個数等も適宜変更することが可能である。
【００３５】
ところで、図１１および図１２に示す場合には、装着工程で補強部材が圧縮木材２に対して撓むことによって突起部が圧縮木材２の端面２ｄで引っ掛からないようにする必要があるため、補強部材に適切な可撓性を有する素材を適用する必要がある。これに対して、非常に硬質で撓みが少ない素材を適用して補強部材を構成する場合には、その補強部材を装着（圧入）しやすくするために、圧縮木材２の端面２ｄから側板部２ｂおよび２ｃに沿って切り欠きを設けたり、端面２ｄに面取りを施したりしてもよい。
【００３６】
図１３は、圧縮木材２への装着を容易とする補強部材の構成例（第４例）およびその補強部材を圧縮木材に対して装着する装着工程の概要（金型の構成を含む）を示す部分断面図である。同図に示す補強部材３３は、上述したさまざまな補強部材と同様に周回して閉じた形状をなしており、この周回方向と直交する方向の断面すなわち図示している断面は、下方に行くに従って幅広となるようなテーパ形状をなしている。この補強部材３３の内側面も端面当接部３３ａと側面当接部３３ｂとを有し、側面当接部３３ｂには突起部３３１が設けられている。突起部３３１のうち、対向する位置にある突起部３３１の頂点同士の距離は、側板部２ｂおよび２ｃの肉厚以上である。以上の構成を有する補強部材３３を用いる場合には、金型７１を下降させる前の段階で補強部材３３の端面当接部３３ａを端面２ｄと接触した状態で載置させることができる。したがって、補強部材の圧縮木材に対する位置合わせが一段と容易になる。
【００３７】
図１３に示す補強部材３３を圧縮木材２に装着する際には、断面の幅広部分を内側に絞っていき、最終的には上述した補強部材と同様にコの字型の断面形状をなすように変形する必要がある。このため、図１３に示す場合には、キャビティ金型として金型８１とは異なる金型８４を用いている。この金型８４は、圧縮木材２の主板部２ａから側板部２ｂおよび２ｃに各々立ち上がって湾曲する曲面の外側面を嵌入する凹部８５と、この凹部８５の上端付近に、凹部８５の外周方向に凹部８５の上端付近よりも大きく傾斜して装着時に補強部材３３をガイドするガイド部８６と、金型７１の押圧面７３に当接する上端面８７とを備える。
【００３８】
以上の構成を有する金型７１および８４を用いて行う装着工程について説明する。この場合、金型７１の下降に伴い、補強部材３３のガイド部８６との接触部分がそのガイド部８６によってガイドされながら下降し、徐々に内側へと閉じていく一方、金型７１の凸部７２に接触する部分が金型７１の下降に伴って徐々に内側へと閉じていく。図１４は、金型７１および８４によって補強部材３３を圧縮木材２に圧入して装着した状態を示す部分断面図である。同図に示すように、補強部材３３は、圧縮木材２に圧入された後、その断面形状がコの字型となり、上記同様に圧縮木材２の端部を把持している。このようにして形成される圧縮木製品が、上述した圧縮木製品４と同様の外観形状を有することはいうまでもない。
【００３９】
本実施の形態１に係る圧縮木製品の製造方法によって製造された圧縮木製品は、デジタルカメラ、携帯電話、ＰＨＳまたはＰＤＡ等の携帯型通信端末、携帯型オーディオ装置、ＩＣレコーダ、携帯型テレビ、携帯型ラジオ、各種家電製品のリモコン、デジタルビデオなどの小型携帯用電子機器の外装材として好適である。また、本実施の形態１に係る圧縮木製品の製造方法によって製造された圧縮木製品は、めがねケースや食器などに適用することも可能である。
【００４０】
（実施の形態２）
図１５は、本発明の実施の形態２に係る圧縮木製品の製造方法によって製造された圧縮木製品の構成を示す斜視図である。また、図１６は、図１５のＣ−Ｃ線断面図である。これらの図に示す圧縮木製品１０１は、中空箱型形状をなしており、上記実施の形態１における圧縮工程と同じ圧縮工程によって圧縮成形された二つの圧縮木材２を、端面２ｄ同士が対向するようにして補強部材１０２を介して接合した構成を有する。したがって補強部材１０２は、周回方向に垂直な断面が、コの字型を上下対称に二つ重ね合わせたＨ字型をなしており、上下にそれぞれ装着（圧入）される二つの圧縮木材２の端部を補強するとともに、二つの圧縮木材２を接合する機能を有している。
【００４１】
図１７は、圧縮木製品１０１を形成する際の装着工程の概要を示す図である（図７に対応）。この図１７に示す場合、二つの圧縮木材２の各々は、上下対称な位置関係にある二つの金型２０１および２０２のいずれかに取り付けられ、そのうち下方に位置する圧縮木材２に補強部材１０２を位置合わせしてセットする。その後、プレス機によって金型２０１を金型２０２に対して下降させて両金型を重ね合わせて挟持することにより、補強部材１０２を上下二つの圧縮木材２に圧入する。この意味で、金型２０１および２０２のいずれか一方が第１の金型であり、他方が第２の金型である。
【００４２】
なお、本実施の形態２においても、補強部材１０２の内側面の適当な位置に補強部材３１または３２と同様の突起部を形成してもよい。また、補強部材１０２の断面形状を、図１７の鉛直上下方向にそれぞれ幅広となるような変形Ｈ字型（図１３に示すテーパ形状を上下対称となるように重ね合わせた形状に相当）にしてもよい。
【００４３】
以上説明した本発明の実施の形態２に係る圧縮木製品の製造方法によれば、上記実施の形態１と同様に、圧縮成形された木材を補強する補強部材をその木材に対して容易に装着することが可能となる。
【００４４】
（その他の実施の形態）
ここまで、本発明を実施するための最良の形態として、実施の形態１および２を詳述してきたが、本発明はそれらの実施の形態によってのみ限定されるべきものではない。例えば、以上の説明においては、補強部材が、圧縮木材の端面を把持可能とするために、周回して閉じた外観形状をなしていたが、この周回部分の適当な位置同士を圧縮木材の内側面に沿った形状で連結し、圧縮木材の内側面をも補強し得るような補強部材を適用してもよい。この場合には、装着工程において、コア金型の凸部が前述した連結部分を押圧することによって圧縮木材に圧入することができる。
【００４５】
また、補強部材を圧縮木材に装着する際には、補強部材および／または圧縮木材の接触面に適当な接着剤を予め塗布しておくことにより、補強部材を一段と確実に圧縮木材に対して固着することができる。
【００４６】
このように、本発明は、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００４７】
【図１】本発明の実施の形態１に係る圧縮木製品の製造方法における形取工程の概要を示す図である。
【図２】本発明の実施の形態１に係る圧縮木製品の製造方法における圧縮工程の概要を示す図である。
【図３】圧縮工程において木材の変形がほぼ完了した状況を示す図である。
【図４】圧縮工程後の木材（圧縮木材）の構成を示す斜視図である。
【図５】補強部材の構成を示す斜視図である。
【図６】図５のＡ−Ａ線部分断面図である。
【図７】本発明の実施の形態１に係る圧縮木製品の製造方法における装着工程の概要を示す図である。
【図８】図７の装着工程において補強部材の圧縮木材への装着がほぼ完了した状態を示す図である。
【図９】本発明の実施の形態１に係る圧縮木製品の製造方法によって製造された圧縮木製品の構成を示す斜視図である。
【図１０】図９のＢ−Ｂ線部分断面図である。
【図１１】補強部材の別な構成例（第２例）を示す断面図である。
【図１２】補強部材のさらに別な構成例（第３例）を示す断面図である。
【図１３】補強部材の第４の構成例と当該補強部材を圧縮木材に対して装着する装着工程の概要を示す部分断面図である。
【図１４】図１３の装着工程において補強部材の圧縮木材への装着がほぼ完了した状態を示す図である。
【図１５】本発明の実施の形態２に係る圧縮木製品の製造方法によって製造された圧縮木製品の構成を示す斜視図である。
【図１６】図１５のＣ−Ｃ線断面図である。
【図１７】本発明の実施の形態２に係る圧縮木製品の製造方法における装着工程の概要を示す図である。
【符号の説明】
【００４８】
１  木材
１ａ、２ａ  主板部
１ｂ、１ｃ、２ｂ、２ｃ  側板部
１ａｂ  曲面
２  圧縮木材
２ｄ  端面
３、３１、３２、３３、１０２  補強部材
３ａ、３１ａ、３２ａ、３３ａ  端面当接部
３ｂ、３１ｂ、３２ｂ、３３ｂ  側面当接部
４、１０１  圧縮木製品
１０  無垢材
１０Ｇ  木目
５１、６１、７１、８１、８４、２０１、２０２  金型
５２、７２  凸部
６２、８２、８５  凹部
７３  押圧面
８３、８７  上端面
８６  ガイド部
３１１、３２１、３３１  突起部
【図１】
2007118456.tif 000003
【図２】
2007118456.tif 000004
【図３】
2007118456.tif 000005
【図４】
2007118456.tif 000006
【図５】
2007118456.tif 000007
【図６】
2007118456.tif 000008
【図７】
2007118456.tif 000009
【図８】
2007118456.tif 000010
【図９】
2007118456.tif 000011
【図１０】
2007118456.tif 000012
【図１１】
2007118456.tif 000013
【図１２】
2007118456.tif 000014
【図１３】
2007118456.tif 000015
【図１４】
2007118456.tif 000016
【図１５】
2007118456.tif 000017
【図１６】
2007118456.tif 000018
【図１７】
2007118456.tif 000019